(57)【要約】【課題】高気密住宅のドア開閉時などに蓋体が外れてしまうのを有効に防止でき、かつ、開閉操作性を良好にすることも可能な天井点検口の提供を目的とする。【解決手段】天井１に開設した開口２周りに固定され、開口２を通して天井裏３に入れられた蓋体４を支承して開口２を閉塞する天井点検口であって、  前記蓋体４を使用準備回転位置と使用回転位置との間で水平回転自在に支承するとともに、  使用準備回転位置から使用回転位置への移動に伴って蓋体４の上面に重合して浮き上がり量を規制する押さえ部５を形成して天井点検口を構成する。【選択図】図５
2016142059.tif 000002
【特許請求の範囲】
【請求項１】
天井に開設した開口周りに固定され、開口を通して天井裏に入れられた蓋体を支承して開口を閉塞する天井点検口であって、
前記蓋体を使用準備回転位置と使用回転位置との間で水平回転自在に支承するとともに、
使用準備回転位置から使用回転位置への移動に伴って蓋体の上面に重合して浮き上がり量を規制する押さえ部を形成した天井点検口。
【請求項２】
所定断面形状からなる枠材の複数を矩形枠状に枠組みして形成され、
各枠材には、
枠組み状態において内周縁部にフランジ状に張り出す支承片と、
該支承片に対して所定間隔を隔てて平行で、かつ、張り出し量のより小さな押さえ片とが形成される請求項１記載の天井点検口。
【請求項３】
前記押さえ片の先端部には、支承片側に向かって移動する蓋体の周縁に衝接して蓋体を使用準備回転位置にガイドする傾斜面が形成される請求項２記載の天井点検口。
【請求項４】
前記蓋体の周縁部に衝接して使用準備回転位置から所定の回転方向に往復回転移動自在に蓋体をガイドする回転規制部を有する請求項２または３記載の天井点検口。
【請求項５】
前記蓋体を支承する支承部と蓋体との間に介装される気密材を有する請求項１ないし４のいずれかに記載の天井点検口。
【発明の詳細な説明】
【技術分野】
【０００１】
本発明は天井点検口に関するものである。
【背景技術】
【０００２】
天井に開設した開口周りに固定され、開口を通して天井裏に入れられた蓋体を支承して開口を閉塞する天井点検口としては、従来、特許文献１に記載されたものが知られている。この従来例において、天井点検口は、開口の内方へ支持片を四周から張り出すとともに、高さの異なる係止部材の一対を開口の上方に対設し、かつ、弾性能を有する係止片を各係止部材の基端に形成する。
【０００３】
以上の天井点検口は、支持片と係止片との間に蓋体を挟着するために、風圧等によって蓋体が煽られて外れるのを防止でき、また、係止片が弾性変形したときにも係止部材が蓋体の上昇を防ぐ。高さのより高い係止部材の一方には、傾斜する蓋体の端縁を開口外方側に呑み込み可能な呑込み凹部が形成されており、蓋体を取り外す際には、ケンドン操作、すなわち先ず最初に、呑込み凹部のある一方の係止部材に面した蓋体の一端縁部側を上方に押せば、対応位置にある係止片が弾性変形を伴って係止解除して蓋体が傾き、次いで、蓋体を傾けた状態のまま呑込み凹部側にスライド移動させれば、反対位置にある係止片も係止解除する。この状態で蓋体の反対側の端縁は係止部材から外れた位置にあり、最後に当該端縁部を上方に押せば、蓋体を取り外すことができる。
【先行技術文献】
【特許文献】
【０００４】
【特許文献１】特開平７-１９７６３９号公報
【発明の開示】
【発明が解決しようとする課題】
【０００５】
しかしながら、上述した従来例においては、蓋体の脱着操作性を考慮すると係止片の弾性能を高める必要があるために、蓋体の煽り防止を実質的に係止部材に頼ることになる。この係止部材と蓋体とは、係止片や呑込み凹部の配置スペース等を確保するためにかなりの距離を隔てて配置しなければならず、したがって従来例は、高気密住宅のドア開閉時などに蓋体が大きく浮き上がり、また、その際に蓋体が傾いて側方にずれるなどして外れてしまったり、さらには、外れた蓋体が室内に落下してしまうおそれを避けられないという欠点がある。
【０００６】
さらに、従来例においては蓋体の脱着操作に多大な手間がかかるという欠点もある。
【０００７】
本発明は以上の欠点を解消すべくなされたものであって、高気密住宅のドア開閉時などに蓋体が外れてしまうのを有効に防止でき、かつ、開閉操作性を良好にすることも可能な天井点検口の提供を目的とする。
【課題を解決するための手段】
【０００８】
本発明によれば、上述した目的は、
天井１に開設した開口２周りに固定され、開口２を通して天井裏３に入れられた蓋体４を支承して開口２を閉塞する天井点検口であって、
前記蓋体４を使用準備回転位置と使用回転位置との間で水平回転自在に支承するとともに、
使用準備回転位置から使用回転位置への移動に伴って蓋体４の上面に重合して浮き上がり量を規制する押さえ部５を形成した天井点検口を提供することにより達成される。
【０００９】
本発明によれば、天井点検口は、蓋体４を水平回転自在に支承し、使用準備回転位置と使用回転位置との間での蓋体４の回転移動を許容する。また、使用準備回転位置から使用回転位置への移動に伴って蓋体４の上面に重合する押さえ部５が形成され、この押さえ部５によって蓋体４の使用回転位置での浮き上がり量を規制にする。
【００１０】
したがって使用回転位置に蓋体４を位置合わせすることにより、押さえ部５によって蓋体４を押さえ、蓋体４が天井裏３に移動するのを防止あるいは抑制することができる。また、使用準備回転位置に蓋体４を位置合わせすれば押さえ部５を避けることができるために、例えば当該使用準備回転位置において蓋体４を持ち上げ可能にしておくことにより、蓋体４を天井裏３側に取り外して容易に開口２を開放することができる。蓋体４の取り付けは、以上とは逆に天井裏３で蓋体４を使用準備回転位置に位置合わせして下ろすようにすれば足りる。
【００１１】
さらに、天井裏３への移動を防止、抑制するために蓋体４を水平回転移動によって押さえ部５の下方に潜り込ませ、また、押さえ部５の下方から引き出して取り外し可能にすることにより、蓋体４と押さえ部５とを上下方向に近接配置することができ、これにより、高気密住宅のドア開閉時などに蓋体４が外れるおそれのあるような高さまで浮き上がってしまうのを有効に防止することができる。
【００１２】
以上の天井点検口は、例えば、蓋体４を支承するために形成される支承部１２の開口２への張り出し量をやや大きく設定することにより、蓋体４を開口２よりもひとまわり小さい面積にしても支承することができ、また、このような小さな面積を利用して蓋体４を水平回転自在にもすることが可能である。さらに例えば、このような支承部１２の上方に所定間隔を隔てて平行に押さえ部５を張り出させ、かつ、張り出し量を支承部１２よりも小さくすることにより、水平回転によって蓋体４を押さえ部５の下方へと潜り込ませることが可能である。この場合において、
所定断面形状からなる枠材６の複数を矩形枠状に枠組みして形成され、
各枠材６には、
枠組み状態において内周縁部にフランジ状に張り出す支承片７と、
該支承片７に対して所定間隔を隔てて平行で、かつ、張り出し量のより小さな押さえ片８とを形成すれば、枠材６を共通化して量産性を高めることができる。
【００１３】
また、上述のように押さえ部５等を支承部１２等の上方に張り出させてしまうと、蓋体４を天井裏３から下ろして取り付ける際に押さえ部５が邪魔になりやすい。特に、室内側から持ち上げている蓋体４を下ろして取り付ける際には、天井裏３側の押さえ部５の位置が見えないことから、押さえ部５をかわす姿勢に蓋体４を合わせるのが困難になる。この点、上述した押さえ片８の先端部に、支承片７側に向かって移動する蓋体４の周縁に衝接して蓋体４を使用準備回転位置にガイドする傾斜面９を形成すれば、使用準備回転位置におおよそ位置合わせしておいた蓋体４を適宜下ろすだけで押さえ部５をかわして支承部１２上へとスムーズに移動させることができる。
【００１４】
さらに、上述のように支承部１２と押さえ部５の二重構造を開口２周りの全周に渡って形成した場合には、使用準備回転位置から蓋体４を時計回り、反時計回りのいずれに回転させても使用回転位置へと移動させることができる反面、蓋体４を取り外す際に使用回転位置から使用準備回転位置へと戻そうとしても、上述同様、室内側からの操作では位置合わせするのが難しい。この点、蓋体４の周縁部に衝接して使用準備回転位置から所定の回転方向に往復回転移動自在に蓋体をガイドする回転規制部１０を設けた場合には、かかる位置合わせ操作を極めて簡単にすることができるし、回転ストローク終端に至る際の回転方向に基づいて使用準備回転位置と使用回転位置とを識別することも可能になる。
【００１５】
加えて、上述した支承部１２と蓋体４との間に気密材１１を介装すれば、すきま風の防止や防音性能等の向上、あるいは高気密住宅における気密性の維持には望ましい。さらに、このような気密材１１として高摩擦体を採用した場合には、蓋体４の回転抵抗を高めることができるために、振動などによって蓋体４が使用回転位置と使用準備回転位置との間で妄りに移動するのを防ぐことができる。
【発明の効果】
【００１６】
以上の説明から明らかなように、本発明によれば、高気密住宅のドア開閉時などに蓋体が外れてしまうのを有効に防止でき、かつ、開閉操作性を良好にすることも可能な天井点検口を提供することができるために、室内環境や天井裏設備の良好な維持、管理を容易にすることができる。
【図面の簡単な説明】
【００１７】
【図１】本発明に係る天井点検口を示す図で、（ａ）は側面図の半断面図、（ｂ）は平面図の半断面図である。
【図２】天井点検口の組み立て方法等を示す斜視図である。
【図３】設置状態を示す図で、（ａ）は一部を破断して示した斜視図、（ｂ）は（ａ）の３Ｂ-３Ｂ線断面図である。
【図４】蓋体との取り合いを示す図で、（ａ）は蓋体を天井裏から下ろすときを説明する要部縦断面図、（ｂ）は（ａ）の４Ｂ部分拡大図である。
【図５】蓋体の回転移動を説明する図で、（ａ）は平面図、（ｂ）は（ａ）の右上部分の拡大図で、天井点検口の一部を破断して示した図である。
【図６】蓋体の移動規制を説明する図で、（ａ）は使用回転位置をとるときの蓋体の隅部との関係を示す図、（ｂ）は使用準備回転位置をとる蓋体の回転規制部との関係を示す図である。
【発明を実施するための形態】
【００１８】
図１および図２に本発明に係る天井点検口Ａを示す。この実施の形態において、天井点検口Ａは、蓋体４を支承する支承部１２と、蓋体４の支承部１２上からの浮き上がり量を規制する押さえ部５とを有し、点検用開口部２１を囲む矩形枠状に形成される。
【００１９】
上記支承部１２は、内周縁部に全周に渡って張り出すフランジ状に形成され、蓋体４の周縁部を支承することにより点検用開口部２１を閉塞可能にする。この支承部１２が配置される天井点検口Ａの下端には、反対の外周縁部に全周に渡って張り出す化粧フランジ２２も形成され、これにより天井１の見切り部分を隠すことができる。なお、説明の便宜上、上下等の位置関係については、天井点検口Ａの天井１への設置状態を基準にして定義する。
【００２０】
一方、上記押さえ部５は、支承部１２同様、内周縁部に全周に渡って張り出すフランジ状に形成され、支承部１２に対して蓋体４の厚さに適宜のクリアランスを加味した程度の間隔を隔てて平行に配置される。この押さえ部５は、支承部１２の上方に配置され、また、支承部１２よりも点検用開口部２１への張り出し量がやや小さくされる。
【００２１】
以上の天井点検口Ａは、アルミニウム等の金属材料からなり、図２に示すように、同一寸法からなる枠材６の四本を枠組みして形成される。各枠材６は、押し出し成形品であり、具体的には、帯状の見切り片２３の両側縁から直交方向に支承片７と押さえ片８を並設し、また、支承片７の反対方向に化粧片２４を張り出して形成される。上記見切り片２３が天井材２５の厚さよりもやや幅広に形成されるとともに、上記支承片７が見切り片２３からの張り出し寸法を押さえ片８よりもやや大きくされることにより、各支承片７を内向きに向かい合わせるようにして全ての枠材６を矩形に枠組みすることによって、上述した支承部１２、押さえ部５、および化粧フランジ２２のそれぞれが支承片７、押さえ片８、および化粧片２４の４組を組み合わせて形成される。
【００２２】
また、上記支承片７と化粧片２４のそれぞれの上面には、気密性に優れ、かつ、摩擦抵抗の大きい発泡ポリエチレンからなる気密材１１が取り付けられる。この気密材１１は支承片７等の長手方向に沿って長尺の帯状をなし、枠材６の枠組みに伴って枠材６同様、連続する矩形形状をなす。その幅は、後述する気密性や摩擦抵抗を考慮して適宜決定される。
【００２３】
さらに、上記押さえ片８の基端部からは、見切り片２３を延長させるようにして取付片２６が延設される。この取付片２６は、天井点検口Ａをねじ止めによって天井１に取り付ける際の取り付け代として機能するものであり、延設方向の中間部には、上述の枠組みの際に内側に面し、ねじ止め高さ位置の目安となる溝２６ａが凹設される。加えて、押さえ片８の先端縁には、先端に行くに従って漸次支承片７に近接する傾斜面９が形成される。
【００２４】
以上の枠材６は、四本のそれぞれの両端を合わせて矩形枠状になるように両端が４５度の角度で切断され、その枠組みに際しては連結具２７（コーナーピース）が用いられる。この連結具２７は、枠材６、６の端部同士を連結させるものであり、具体的には、枠材６の端部に連結可能な連結片２８の一対を直交方向に配置して略Ｌ字形状に形成され、金属板材を略Ｌ字状に折曲等することにより製作される。上記連結片２８は略板状に形成され、上述した支承片７と押さえ片８との間隔とほぼ一致する程度の幅寸法に形成される。なお、図２において２８ａは、ダボ出し加工等により板厚方向に押し出して形成される凸部であり、後述する被連結部２９との嵌合による連結をスムーズにするために、被連結部２９との嵌合時の接触面積を小さく抑えつつ長尺の連結片２８をバランス良く所定の厚さ寸法に形成する。
【００２５】
また、以上の連結具２７を介して相互に連結可能にするために、枠材６には上述した被連結部２９が形成される。この被連結部２９は、連結片２８を嵌合可能なスロット状の開口部であり、支承片７と押さえ片８のそれぞれの基端部には、見切り片２３との間に連結片２８の板厚に相当する間隔を隔てて配置され、かかる開口部を区画するようにして対向方向から突条３０が突設される。なお、図２に示すように、連結具２７の連結片２８には六角形状の貫通孔３５が設けられており、枠材６の被連結部２９に連結片２８を挿入後、見切り片２３の前記貫通孔３５と重合する部分を外方からプレスして、隣接する枠材６を連結する。
【００２６】
したがって天井点検口Ａは、一組の枠材６、６の端部同士を連結具２７によって直交方向に順次連結することにより、見切り片２３によって四周を包囲した矩形枠状に構成される。天井１への設置は、図３に示すように、天井点検口Ａとほぼ一致する大きさの開口２を天井１の野縁３１、３１間に開設し、この開口２内に室内側から天井点検口Ａを挿入した上で、取り付け片を貫通して野縁３１に木ネジ３２をねじ込むことによりなされる。気密材１１を介して化粧フランジ２２を天井１に圧接させ、対向位置の取付片２６、２６で一対の野縁３１、３１に対してねじ止めされることにより、天井点検口Ａは、天井１に対して強固に固定され、また、固定状態において開口２との間に高い気密性を確保する。
【００２７】
この状態で天井１には、開口２よりもひとまわり小さいサイズの点検用開口部２１が開放しており、かかる点検用開口部２１を開閉するための蓋体４は、天井材２５を利用して現場施工により製作される。この蓋体４の材料としての天井材２５には、上述の開口２を開設する際に切り出した端材を流用することが可能であり、かかる端材を点検用開口部２１の広さよりもやや大きい程度にひとまわり小さくサイズ調整して得られる。天井材２５の表面にはクロス３３が貼り付けられており、上述のサイズ調整に際して天井材２５のみを切断し、クロス３３を切断せずに残しておくことにより、天井材２５の周縁から飛び出すクロス３３を利用して周縁周りをも覆えば、図４（ａ）に示すように、天井材２５の室内面のみならず、側面および裏面の周縁部をもクロス３３で覆った端材を蓋体４として得ることができる。
【００２８】
また、上述したサイズ調整に際し、蓋体４を押さえ部５の内方に収まる程度のサイズにしておくことにより、図４（ａ）に示すように、蓋体４を天井裏３から下ろすと、押さえ部５の内方を通過し、その周縁部を支承部１２により支承して点検用開口部２１を蓋体４により閉塞することができる。さらに、この実施の形態において、蓋体４は平面視正方形からなり、その平面寸法は、点検用開口部２１と中心位置を合わせて重なる正規位置において、図４（ｂ）に示すように、周縁が押さえ部５の先端に対して全周に渡って適宜のクリアランス（Ｃ）を隔てるように調整される。
【００２９】
加えて、上述のように押さえ片８の先端部には傾斜面９が形成されるために、蓋体４を天井裏３から下ろす際にその周縁が傾斜面９に衝接したときには、この傾斜面９によって押さえ部５内方へとにガイドされる。したがって蓋体４を天井裏３から下ろす際には、図４（ｂ）に示すように、上述したクリアランス（Ｃ）に加え、傾斜面９の平面寸法（Ａ）をも加算した正規位置からの平面方向の位置ずれがあっても、これを吸収して支承部１２上へとスムーズに載置することができる。
【００３０】
さらに、押さえ部５の先端部には、第２の傾斜面３４も形成される。この第２の傾斜面３４は、図４（ｂ）に示すように、上述した傾斜面９とは反対の室内側に面し、先端に行くに従って漸次押さえ部５に近接する形状、すなわち上方に向かって傾斜する。したがって蓋体４は、第２の傾斜面３４の平面寸法（Ｂ）に応じた正規位置からの位置ずれがあっても、第２の傾斜面３４にガイドされて支承部１２上から天井裏３へとスムーズに持ち上げることができる。
【００３１】
加えてまた、上述した突条３０は、図４（ｂ）に示すように、支承部１２上に載置された蓋体４の側面に干渉する高さ位置まで突出する。したがって蓋体４は、正規位置において、その周縁と突条３０との間隔（Ｓ）の範囲で水平移動することができる。この平面移動可能な寸法（Ｓ）は、上述した第２の傾斜面３４の平面寸法（Ｂ）よりも大きく、したがって蓋体４は、正規位置から水平方向にずらすことにより、押さえ片８が上面に干渉して浮き上がりが規制される。
【００３２】
また、蓋体４が正規位置から妄りに水平方向にずれて天井裏３に持ち上げられなくなるのを防ぐために、上述した連結具２７には、突出部（回転規制部１０）が形成される。この突出部１０は、連結具２７を構成する一対の連結片２８、２８のうちの一方にのみ形成され、突条３０、３０間の隙間を通って内方に向かって突出する。図６（ｂ）に示すように、突出部１０の点検用開口部２１内方への突出量は、押さえ部５の張り出し量とほぼ近似する。
【００３３】
また、各連結具２７は、図５に示すように、上述の突出部１０を天井点検口Ａの四隅近傍において、後述する使用準備回転位置から蓋体４が水平並進移動するのを禁止し、かつ、天井裏３から見て時計回り（室内側からみて反時計回り）に水平回転移動するのを禁止する位置に配置する。
【００３４】
したがってこの実施の形態において、正規位置やその周辺のクリアランス（Ｃ）によって天井裏３へと持ち上げ可能な位置（使用準備回転位置）から蓋体４を室内側において時計回り（図５における矢印方向）に回転させると、その四隅近傍が押さえ部５の下方に第２の傾斜面３４の形成範囲を超えて潜り込む位置（使用回転位置）まで蓋体４を移動させることができる。この回転移動操作は、図５（ｂ）および図６（ａ）に示すように、蓋体４の隅部が突条３０と衝接するまですることができ、この状態では上述のように蓋体４の四隅部分の上方に押さえ部５が位置する。このため、例えば以上の天井点検口Ａを高気密住宅に設置した場合において、ドア開閉時の圧力によって蓋体４を押し上げる力が働いても、この状態であれば蓋体４が浮き上がることはない。
【００３５】
また、この状態で蓋体４と支承部１２との間には、気密材１１が点検用開口部２１周りの全周に渡って配置されており、化粧フランジ２２と天井１との間に配置される上述した気密材１１と相まって室内の気密性が高められる。このため、天井点検口Ａの設置によって、住宅の高気密性の等級が低下するようなこともない。
【００３６】
天井点検口Ａを開放する際には、蓋体４を室内側から見て反時計回りに回転させれば、蓋体４を押さえ部５の下方から引き出して天井裏３へと持ち上げ可能な位置まで復帰させることができる。この回転操作は、蓋体４の周縁が突出部１０に衝接するまですることができ、この状態では上述のように蓋体４を持ち上げることができる。蓋体４を持ち上げた後は、必要に応じて、例えば蓋体４を傾けてその矩形の一辺を点検用開口部２１の対角線に合わせて室内側に取り外す等すれば、点検用開口部２１から天井裏３の設備を点検することができる。なお、上述のように気密材１１には摩擦抵抗の大きいものが用いられているために、振動などによって蓋体４が妄りに反時計回りに回転し、開放不能な状態から開放可能な状態へと移行してしまうことはない。
【符号の説明】
【００３７】
１  天井
２  開口
３  天井裏
４  蓋体
５  押さえ部
６  枠材
７  支承片
８  押さえ片
９  傾斜面
１０  回転規制部
１１  気密材
１２  支承部
【図１】
2016142059.tif 000003
【図２】
2016142059.tif 000004
【図３】
2016142059.tif 000005
【図４】
2016142059.tif 000006
【図５】
2016142059.tif 000007
【図６】
2016142059.tif 000008